(57)【要約】      （修正有）【課題】ロックアウトタイムの設定が可能で且つプライミングが容易な薬液投与装置を提供する。【解決手段】急速投与部は、流入流路１１１と流出流路１１２との間に接続され、薬液を貯留する薬液貯留部１１３と、薬液貯留部１１３への薬液の貯留及び前記薬液貯留部１１３からの薬液の送出を制御する制御部１１４とを備えている。流入流路１１１は、第１の流路１１１Ａと第１の流路１１１Ａよりも流路断面積が小さい第２の流路１１１Ｂとに分岐した部分を有する。制御部１１４は、第１の流路１１１Ａを閉止可能な第１の閉止部１４１と、第１の閉止部１４１と連動して流出流路１１２を閉止可能で、且つ、第１の流路１１１Ａが閉止された状態で、流出流路１１２を開閉可能である、第２の閉止部１４２とを有する。【選択図】図２
2020163204.tif 000002
【特許請求の範囲】
【請求項１】
流量制御部の基端側において主流路と接続される流入流路と、
前記流量制御部の先端側において前記主流路と接続される流出流路と、
前記流入流路と前記流出流路との間に接続され、薬液を貯留する薬液貯留部と、
前記薬液貯留部への薬液の貯留及び前記薬液貯留部からの薬液の送出を制御する制御部とを備え、
前記流入流路は、第１の流路と前記第１の流路よりも流路断面積が小さい第２の流路とに分岐した部分を有し、
前記制御部は、前記第１の流路を閉止可能な第１の閉止部と、前記第１の閉止部と連動して前記流出流路を閉止可能で、且つ、前記第１の流路が閉止された状態で、前記流出流路を開閉可能である第２の閉止部とを有する、薬液投与装置の急速投与部。
【請求項２】
前記急速投与部は、前記第１の閉止部及び前記第２の閉止部を開放した状態として、前記急速投与部を薬液で満たすプライミングモードと、前記第１の閉止部及び前記第２の閉止部を閉止した状態として、前記薬液貯留部へ薬液を貯留する薬液貯留モードと、前記第１の閉止部を閉止した状態を維持し、且つ前記第２の閉止部を開放した状態として、前記薬液貯留部に貯留された薬液を送出する急速投与モードとを有し、
前記制御部は、前記プライミングモードから前記薬液貯留モードへの移行と、前記薬液貯留モードと前記急速投与モードとの間の移行とを制御する、請求項１に記載の急速投与部。
【請求項３】
前記制御部は、
操作されることにより前記プライミングモードから前記薬液貯留モードへの移行を行わせ、一度操作されるとロックされる第１の操作ボタンと、
操作されることにより前記薬液貯留モードから前記急速投与モードへの移行を行わせる第２の操作ボタンとを有し、
前記第２の操作ボタンは、前記薬液貯留部に貯留された薬液を送出した後、自動的に復帰して前記急速投与モードから前記薬液貯留モードへの移行を行わせる、請求項２に記載の急速投与部。
【発明の詳細な説明】
【技術分野】
【０００１】
本開示は、薬液投与装置の急速投与部に関し、特に、患者の制御による薬液の急速投与が可能な急速投与部に関する。
【背景技術】
【０００２】
手術後の患者への鎮痛剤の投与や、がん患者への抗がん剤の投与などの場合に、患者に持続的に薬液を注入する薬液の投与法がある。持続的な投与の場合、通常は０．５ｍＬ／ｈ〜１０ｍＬ／ｈ程度の流速で、半日から数日程度の期間投与が行われる。
【０００３】
持続的な投与の場合、薬液の投与量は基本的に一定とするが、薬液の投与量を一時的に増加させる急速投与を行いたい場合がある。例えば、外科手術後の鎮痛剤の投与の場合、患者が感じる痛みの程度に応じて鎮痛剤の投与量を一時的に増加させることがある。このような急速投与の実施は医師の管理の下に行われるが、近年では限られた範囲内において患者自らが行う、自己調節鎮痛法（ＰＣＡ、Patient Controlled Analgesia）も行われている。
【０００４】
患者自らが急速投与の操作を行う場合には、操作が簡単で且つ過剰投与を防ぐための十分な安全機構を有する薬液投与装置が必要とされる。急速投与が可能な薬液投与装置として、送出量を制御可能な精密輸液ポンプを用いるものと、バルーンの収縮力を用いたバルーンポンプと、流量調整手段を有する薬液ラインとを組み合わせたものとがある。バルーンポンプを用いた薬液投与装置は、操作が簡単であるという利点がある。また、電源を必要としないため、持ち運びが容易な薬液投与装置を実現できるという利点がある。
【０００５】
バルーンポンプを用いた薬液投与装置において投与量を一時的に変更する方法として、例えば一定量の薬液を貯留するサブリザーバを有する急速投与部を薬液ラインに接続する方法がある（例えば、特許文献１を参照。）。サブリザーバに貯留した薬液を薬液ラインに送出することにより、一時的に投与量を増大させることができる。薬液を送出したサブリザーバに、薬液ラインを通じて徐々に薬液が再貯留されるようにすれば、薬液の連続注入ができないロックアウトタイムを設けることができ、薬液の過剰投与を防ぐこともできる。
【先行技術文献】
【特許文献】
【０００６】
【特許文献１】特開平１０−９９４３２号公報
【発明の概要】
【発明が解決しようとする課題】
【０００７】
しかしながら、従来のサブリザーバを設ける方法は、使用前のプライミングに手間がかかるという問題がある。例えば、バルーンポンプにより、薬液投与ラインをプライミングする。急速投与部は、注射器等を用いて薬液を注入して別途プライミングを行い、急速投与部と薬液投与ラインとを接続する。このように、コネクタの付け外しや、注射器を用いた薬液の注入等の煩雑な操作が求められる。コネクタの付け外しを避けるために逆止弁を有するポートを設けることもできるが、この場合にも注射器による薬液注入が必要である。また、ポートを設けることによりコストも増加する。
【０００８】
本開示の課題は、急速投与を禁止するロックアウトタイムの設定が可能で且つプライミングが容易な薬液投与装置を実現できるようにすることである。
【課題を解決するための手段】
【０００９】
薬液投与装置の一態様は、薬液の流量を制御する流量制御部を有する主流路から分岐した、薬液の急速投与部を備え、急速投与部は、流量制御部よりも基端側において主流路と接続された流入流路と、流量制御部よりも先端側において主流路と接続された流出流路と、流入流路と流出流路との間に接続され、薬液を貯留する薬液貯留部と、薬液貯留部への薬液の貯留及び薬液貯留部からの薬液の送出を制御する制御部とを有し、流入流路は、第１の流路と、第１の流路よりも流路断面積が小さい第２の流路とを有し、制御部は、第１の流路を閉止する第１の閉止部と、流出流路を開閉可能に閉止する第２の閉止部とを有している。
【００１０】
薬液投与装置の一態様において、急速投与部は、第１の閉止部及び第２の閉止部を開放した状態として、急速投与部を薬液で満たすプライミングモードと、第１の閉止部及び第２の閉止部を閉止した状態として、薬液貯留部へ薬液を貯留する薬液貯留モードと、第１の閉止部を閉止した状態を維持し且つ第２の閉止部を開放した状態として、薬液貯留部に貯留された薬液を送出する急速投与モードとを有し、制御部は、プライミングモードから薬液貯留モードへの移行と、薬液貯留モードと急速投与モードとの間の移行とを制御するようにできる。
【００１１】
薬液投与装置の一態様において、制御部は、操作されることによりプライミングモードから薬液貯留モードへの移行を行わせ、一度操作されるとロックされる第１の操作ボタンと、操作されることにより薬液貯留モードから急速投与モードへの移行を行わせる第２の操作ボタンとを有し、第２の操作ボタンは、薬液貯留部に貯留された薬液を送出した後、自動的に復帰して急速投与モードから薬液貯留モードへの移行を行わせるようにできる。
【００１２】
薬液投与装置の一態様において、主流路は、薬液を送出するポンプ部を有し、プライミングモードにおいて、流入流路、薬液貯留部及び流出流路を満たす薬液は、ポンプ部から送出されるようにできる。
【発明の効果】
【００１３】
本開示の薬液投与装置によれば、急速投与を禁止するロックアウトタイムの設定が可能で且つプライミングを容易に行うことができる。
【図面の簡単な説明】
【００１４】
【図１】図１は一実施形態に係る薬剤投与装置を示す模式図である。
【図２】図２は急速投与部本体の概略構成を示す模式図である。
【図３】図３は急速投与部本体を示す斜視図である。
【図４】図４は図３のIV−IV線における断面図である。
【図５】図５は第１の操作ボタンがロックされた状態を示す断面図である。
【図６】図６は変形例に係る薬液投与装置において、第１の操作ボタンがロックされていない状態を示す断面図である。
【図７】図７は変形例に係る薬液投与装置において、第１の操作ボタンがロックされた状態を示す断面図である。
【発明を実施するための形態】
【００１５】
本開示において、器具を使用する際に患者側となる側を先端、その反対側を基端として説明する。
【００１６】
図１及び図２に示すように、本実施形態の薬液投与装置は、薬液を投与する主流路１２０から分岐して設けられ、薬液の急速投与を行う急速投与部１１０を備えている。急速投与部１１０は、主流路１２０に設けられた流量制御部１２１よりも基端側において主流路１２０と接続された流入流路１１１と、流量制御部１２１よりも先端側において主流路１２０と接続された流出流路１１２と、急速投与部本体１１５とを有している。
【００１７】
急速投与部本体１１５は流入流路１１１と流出流路１１２との間に接続され、薬液を貯留する薬液貯留部１１３と、薬液貯留部１１３への薬液の貯留及び薬液貯留部１１３からの薬液の送出を制御する制御部１１４とを有している。流入流路１１１は、第１の流路１１１Ａと、第１の流路１１１Ａよりも流路断面積が小さい第２の流路１１１Ｂとを有し、制御部１１４は、第１の流路１１１Ａを閉止する第１の閉止部１４１と、流出流路１１２を開閉可能に閉止する第２の閉止部１４２とを有している。
【００１８】
薬液貯留部１１３は、押圧により変形させることができ、且つ形状復元力を有する容器とすることができる。例えば、ポリエチレン、ポリプロピレン若しくはポリエステル等の可撓性樹脂、ポリイソプレン若しくはシリコーンゴム等のゴム弾性材料により形成された袋状の容器とすることができる。薬液貯留部１１３は、１回の急速投与により投与する薬液を貯留できればよく、例えば０．５ｍｌ程度〜１０ｍｌ程度の容量とすることができる。
【００１９】
流入流路１１１及び流出流路１１２は、可撓性のチューブとすることができ、例えば、ポリ塩化ビニル、ポリエステル、ポリアミド、ポリウレタン、ポリアクリレート、ポリメタクリレート又はポリカーボネート等からなるチューブとすることができる。
【００２０】
流入流路１１１は、第１の流路１１１Ａと第２の流路１１１Ｂとに分岐した部分を有している。第１の流路１１１Ａは、通常の可撓性チューブであり、急速投与部１１０を迅速にプライミングする、バイパス経路としての機能を有する。第２の流路１１１Ｂは、流路断面積が第１の流路１１１Ａよりも小さいオリフィスチューブであり、薬液貯留部１１３に流入する薬液の量を制御する流量制御部として機能する。第１の流路１１１Ａを用いることにより、急速投与部１１０を迅速にプライミングすることができる。一方、第２の流路１１１Ｂにより薬液貯留部１１３に流入する薬液の流量を調整することができ、薬液貯留部１１３に薬液が貯留されるまでの時間を調整することができる。これにより、急速投与を禁止するロックアウトタイムを設定することができる。
【００２１】
第２の流路１１１Ｂは、薬液貯留部１１３に流入する薬液の流量を調整できるように管路抵抗が設定されている。管路抵抗は、内径及び長さを変化させることにより設定できる。第２の流路１１１Ｂの内径及び長さは目的とする流量に応じて決定すればよいが、薬液中の空気が管内壁に付着することによる薬液の流れの停止を抑える観点から、内径は１０μｍ程度以上とすることが好ましく、５０μｍ程度以上とすることがより好ましい。流量の制御性の観点から、内径は５００μｍ程度以下とすることが好ましく、３００μｍ以下とすることがより好ましい。流量の制御性の観点から、長さは１ｃｍ以上とすることが好ましい。また、流量の制御性の観点から、第２の流路１１１Ｂは変形しにくいことが好ましく、外径が内径の５倍〜５００倍程度であるものが好ましい。
【００２２】
上記のような構成の本実施形態の急速投与部１１０は、第１の閉止部１４１及び第２の閉止部１４２を開放した状態として、急速投与部１１０を薬液で満たすプライミングモードと、第１の閉止部１４１及び第２の閉止部１４２を閉止した状態として、薬液貯留部１１３へ薬液を貯留する薬液貯留モードと、第１の閉止部１４１を閉止した状態を維持し且つ第２の閉止部１４２を開放した状態として、薬液貯留部１１３に貯留された薬液を送出する急速投与モードとを有している。プライミングモードから薬液貯留モードへの移行と、薬液貯留モードと急速投与モードとの間の移行とは、第１の操作ボタン１４３及び第２の操作ボタン１４４を有する制御部１１４により制御することができる。
【００２３】
以下に、制御部１１４を含む急速投与部本体１１５の具体例を示す。図３〜図５に示すように、本実施形態の急速投与部本体１１５は、ハウジング１１６内に収容された、薬液貯留部１１３と、薬液貯留部１１３への薬液の流入及び薬液貯留部１１３からの薬液の送出を制御する制御部１１４とを有している。制御部１１４は、ハウジング１１６の外側から操作できる第１の操作ボタン１４３及び第２の操作ボタン１４４と、第１の操作ボタン１４３及び第２の操作ボタン１４４により操作される第１の閉止部１４１及び第２の閉止部１４２を有している。本実施形態の急速投与部本体１１５は、どのような向きに配置しても使用することができるが、以下においては、第１の操作ボタン１４３及び第２の操作ボタン１４４が設けられた側を上側にしている状態について説明する。
【００２４】
本実施形態において、第１の閉止部１４１は、第１の操作ボタン１４３と一体に形成された板状の押圧部である。図５に示すように、第１の操作ボタン１４３を押圧して押圧部を押し下げると、押圧部が第１の流路１１１Ａ側に移動して、第１の流路１１１Ａである可撓性チューブを押しつぶして閉止することができる。第１の操作ボタン１４３は、一旦操作されると第１の閉止部１４１である押圧部が第１の流路１１１Ａを押しつぶす位置においてロックされる。
【００２５】
第２の閉止部１４２は、第２の操作ボタン１４４と一体に形成され、流出流路１１２である可撓性チューブを押しつぶして閉止することができる押圧部である。本実施形態において、第２の操作ボタン１４４は、アーム状部１４４Ｂと、アーム状部１４４Ｂの第１の端部に設けられたボタン本体１４４Ａとを有し、第２の端部が第２の閉止部１４２である押圧部となっている。アーム状部１４４Ｂの中央部は、ばね１４７により支持されており、第１の端部に設けられたボタン本体１４４Ａを押し下げると、第２の端部に設けられた第２の閉止部１４２は、持ち上げられる。また、第１の端部は、薬液貯留部１１３の上側に配置されており、ボタン本体１４４Ａを押し下げると、薬液貯留部１１３が押圧される。
【００２６】
第２の操作ボタン１４４は、第２の端部側において第１の操作ボタン１４３と係合している。具体的には、アーム状部１１４Ｂに設けられた開口部１４４ａに、第１の操作ボタン１４３に設けられた係合突起１４３ａが挿入されている。このため、図５に示すように、第１の操作ボタン１４３を押し下げてロックすると、第２の端部に設けられた第２の閉止部１４２である押圧部も、流出流路１１２側に移動し、流出流路１１２を閉止する。同時にアーム状部１１４Ｂの第１の端部に設けられたボタン本体１４４Ａは、上方に持ち上げられ、操作が可能となる。第１の操作ボタン１４３がロックされた状態で、ボタン本体１４４Ａを押圧すると、てこの原理により第２の端部に設けられた第２の閉止部１４２が持ち上がり、流出流路１１２が開放される。同時に、薬液貯留部１１３が押圧されるため、薬液貯留部１１３に貯留された薬液が流出流路１１２から主流路１２０へ送出される。流入流路１１１側はオリフィス管となっているため、流出流路１１２側と比べて管路抵抗が高く、薬液貯留部１１３から送出された薬液はほとんどが流出流路１１２側に流れる。このため、流入流路１１１側に逆止弁を設けなくてよい。但し、流入流路１１１側に逆止弁を設けることもできる。
【００２７】
本実施形態において、第２の操作ボタン１４４のアーム状部１４４Ｂは、ばね１４７により支えられている。このため、ボタン本体１４４Ａの押圧を止めると、第２の操作ボタン１４４は、ばね１４７の弾発力により自動的に復帰し、薬液貯留部１１３は押圧されていない状態に戻る。また、第２の閉止部１４２である押圧部は再び流出流路１１２側に移動し、流出流路１１２を閉止する。これにより、薬液貯留部１１３への薬液の貯留が再開される。
【００２８】
以上のように、第１のボタン１４３は、操作されることによりプライミングモードから薬液貯留モードへの移行を行わせ、一度操作されるとロックされる。また、第２の操作ボタン１４４は、操作されることにより薬液貯留モードから急速投与モードへの移行を行わせる。第２の操作ボタン１４４は、薬液貯留部１１３に貯留された薬液を送出した後、自動的に復帰して急速投与モードから薬液貯留モードへの移行を行わせる。
【００２９】
薬液貯留部１１３に薬液が貯留されていない状態で、第２の操作ボタン１４４を押圧した場合は、第２の閉止部１４２が開放されるが、押し出される薬液がないため、急速投与は実施されない。このため、薬液貯留部１１３に流れ込む薬液の流量を制御し、薬液貯留部１１３に薬液が貯留されるまでの時間を制御することにより、急速投与の繰り返し使用を禁止するロックアウトタイムを設けることができる。なお、薬液貯留部１１３が所定の大きさに膨張することにより外れるロック機構等を設け、薬液貯留部１１３に十分に薬液が貯留されるまで第２の操作ボタン１４４が操作できないようにすることもできる。
【００３０】
主流路１２０は、薬液の貯留及び送出を行うポンプ部１２２と、主流路を流れる薬液の流量を制御する流量制御部１２１とを有している。ポンプ部１２２は、バルーンハウジング１５１内に収容されたバルーン１５２を有するバルーンポンプである。バルーン１５２は薬液流入部１５３から薬液を流入させて加圧状態で貯留することができると共に、薬液流出部１５５から薬液を流出させることができる。バルーン１５２の内圧は、必要とする流量等に応じて設定すればよいが、例えば２０ＫＰａ〜１００ＫＰａ程度とすることができる。バルーン１５２は、伸縮性が大きく必要とする内圧を発生させることができればどのような材料により形成してもよく、例えば天然ゴム、合成ゴム又はエラストマー等により形成することができる。
【００３１】
流量制御部１２１は、ポンプ部１２２から送出され、主流路１２０内を流れる薬液の流量を制御できる。流量制御部１２１は、主流路１２０内を流れる薬液の流量を制御できれば、どのような構成としてもよいが、例えばオリフィスチューブにより形成することができる。オリフィスチューブの内径及び長さは目的とする流量に応じて決定すればよいが、薬液中の空気が管内壁に付着することによる薬液の流れの停止を抑える観点から、内径は１０μｍ程度以上とすることが好ましく、５０μｍ程度以上とすることがより好ましい。流量の制御性の観点から、内径は５００μｍ程度以下とすることが好ましく、３００μｍ以下とすることがより好ましい。流量の制御性の観点から、長さは１ｃｍ以上とすることが好ましい。また、流量の制御性の観点から、オリフィスチューブは変形しにくいことが好ましく、外径が内径の５倍〜５００倍程度であるものが好ましい。
【００３２】
流量制御部１２１の基端側は、チューブ１２３を介して薬液流出部１５５と接続されている。流量制御部１２１の先端側は、チューブ１２４を介してコネクタ１２５と接続されている。コネクタ１２５は、例えば患者の血管内に挿入されたカテーテル等と接続できる。薬液流出部１５５と流量制御部１２１の基端側との間には、急速投与部１１０の流入流路１１１を分岐させる分岐コネクタ１２６が設けられている。流量制御部１２１の先端側とコネクタ１２５との間には、急速投与部１１０の流出流路１１２を合流させる分岐コネクタ１２７が設けられている。
【００３３】
分岐コネクタ１２６と薬液流出部１５５との間にはフィルタ１２８が設けられている。この位置にフィルタ１２８を設けることにより、主流路１２０に設けられた流量制御部１２１及び急速投与部１１０に設けられた第２の流路１１１Ｂにおいて、異物等による詰まりを発生しにくくすることができる。また、本実施形態においては、急速投与部１１０に外部から薬液が注入されることがないため、急速投与部１１０の流出流路１１２よりも先端側にフィルタを設けなくてよい。これにより部品点数を削減できると共に、流出流路１１２の流路抵抗の上昇を抑えることができ、急速投与部１１０の操作性が向上する。但し、流出流路１１２よりも先端側にフィルタを設けることもできる。
【００３４】
以下に、本実施形態の薬液投与装置のプライミング方法を説明する。まず、薬液流入部１５３から薬液をバルーン１５２内に注入する。この際に流量制御部１２１の基端側と、急速投与部１１０の流入流路１１１とはクランプにより閉止した状態とすることができる。流量制御部１２１の基端側のクランプを開放すると、バルーン１５２の収縮力によりバルーン１５２内の薬液は薬液流出部１５５から送出され、主流路１２０がプライミングされる。
【００３５】
コネクタ１２５から薬液が流出したことを確認した後、流量制御部１２１の基端側のクランプを閉じ、流入流路１１１のクランプを開放する。この状態において、急速投与部１１０は、第１の閉止部１４１及び第２の閉止部１４２が開放されたプライミングモードになっている。従って、管路抵抗が小さい第１の流路１１１Ａを薬液が通ることができ、流量を確保することができる。薬液貯留部１１３が薬液で満たされると、薬液は流出流路１１２を通って、先端側のコネクタ１２５からオーバーフローする。オーバーフローを確認した後、急速投与部１１０の第１の操作ボタン１４３を操作し、第１の閉止部１４１及び第２の閉止部１４２を閉止する。これにより、主流路１２０及び急速投与部１１０のプライミングが完了し、急速投与部１１０は薬液貯留モードに移行する。このように、本実施形態の急速投与部は、流入流路１１１にプライミングポートを設けなくても、迅速にプライミングを行うことができる。しかし、緊急用等として、流入流路１１１にプライミングポートを設けることもできる。
【００３６】
なお、主流路１２０を先にプライミングした後、急速投与部１１０をプライミングする例を示したが、急速投与部１１０を先にプライミングした後、主流路１２０をプライミングすることもできる。
【００３７】
プライミングが終了した薬液投与装置のコネクタ１２５を患者の血管内に挿入されたカテーテル等に接続すれば、バルーン１５２の収縮力により、バルーン１５２内の薬液が患者の血管内に持続的に投与される。この場合の投与量は、流量制御部１２１によって設定された値となる。投与量を一時的に大きくしたい場合には、急速投与部１１０の第２の操作ボタン１４４を押し込む。これにより、第２の閉止部１４２が開放されると共に、薬液貯留部１１３が押圧され、薬液貯留モードから急速投与モードに移行する。薬液貯留部１１３内の薬液は、流出流路１１２を通って主流路１２０へ送出され、患者に投与される。急速投与を行った後、第２の操作ボタン１４４から指を離すと、第２の操作ボタン１４４は自動的に復帰し、急速投与部１１０は急速投与モードから薬液貯留モードへ移行する。急速投与モードから薬液貯留モードに移行した後、薬液貯留部１１３に再び薬液が貯留されるまでには所定の時間を要する。この時間は、第２の流路１１１Ｂにより設定される流量により決定される。また、第１の操作ボタン１４３は、一旦操作されるとロックされるため、バイパスである第１の流路１１１Ａを開放できず、急速投与の過剰な使用を防ぐ安全機構として機能する。
【００３８】
薬液投与装置は、体内に薬液を投与するため、流路内を滅菌する。滅菌には一般的にエチレンオキサイトガス（ＥＯＧ）滅菌、電子線滅菌又はγ線滅菌等が用いられる。ＥＯＧ滅菌を効率良く行うためには、流路が開放され、流路内をガスが十分に流通することが好ましい。本実施形態の薬液投与装置は、流路内に流路を塞ぐ逆止弁等が設けられていない構成とすることができる。このような構成とすることにより、ＥＯＧ滅菌が容易にできるという利点が得られる。
【００３９】
本実施形態は、ポンプをバルーンの収縮力を用いたバルーンポンプとした例を示した。しかし、所定の圧力で薬液を送出できればどのようなポンプを用いてもよい。例えば、ガス圧を用いるポンプ等を用いることもできる。
【００４０】
本実施形態において、流量制御部１２１及び第２の流路１１１Ｂには、オリフィスチューブを用いた。しかし、管路抵抗により所定の流量を実現できれば、他の構成とすることもできる。例えば、オリフィスチューブの代わりに逆止弁を設けることもできる。
【００４１】
本実施形態において示した急速投与部本体１１５の構成は一例であり、第１の閉止部１４１及び第２の閉止部１４２が所定の動作を行うようにできれば他の構成とすることができる。例えば、図６及び図７に示すようにボタン本体１４４Ａとバルーン１１３との間にばね１４８を設けることもできる。これにより、ボタン本体１４４Ａを押圧する指を離した後にボタン１４４Ａが押圧されていない位置に戻りやすくなり、第２の操作ボタン１４４と一体に形成された第２の閉止部１４２が、流出流路１１２である可撓性チューブを押しつぶして閉止する位置に戻りやすくなる。なお、図６及び図７にはバネ１４８が円錐ばねである例を示したが、ボタン１４４Ａが押圧されていない位置に戻りやすくなればよく、他の構成とすることもできる。
【００４２】
本実施形態の薬液投与装置は、ＰＣＡに利用することができる。他にも、ヘパリン、化学麻酔、又は抗癌剤の投与等に利用することができる。
【産業上の利用可能性】
【００４３】
本開示の薬液投与装置は、急速投与を禁止するロックアウトタイムの設定が可能で且つプライミングが容易であり、ＰＣＡ等に用いることができる薬液投与装置として有用である。
【符号の説明】
【００４４】
１１０      急速投与部
１１１      流入流路
１１１Ａ    第１の流路
１１１Ｂ    第２の流路
１１２      流出流路
１１３      薬液貯留部
１１４      制御部
１１５      急速投与部本体
１１６      ハウジング
１２０      主流路
１２１      流量制御部
１２２      ポンプ部
１２３      チューブ
１２４      チューブ
１２５      コネクタ
１２６      分岐コネクタ
１２７      分岐コネクタ
１２８      フィルタ
１４１      第１の閉止部
１４２      第２の閉止部
１４３      第１の操作ボタン
１４３ａ    係合突起
１４４      第２の操作ボタン
１４４Ａ    ボタン本体
１４４Ｂ    アーム状部
１４４ａ    開口部
１４７      ばね
１４８      ばね
１５１      バルーンハウジング
１５２      バルーン
１５３      薬液流入部
１５５      薬液流出部
【図１】
2020163204.tif 000003
【図２】
2020163204.tif 000004
【図３】
2020163204.tif 000005
【図４】
2020163204.tif 000006
【図５】
2020163204.tif 000007
【図６】
2020163204.tif 000008
【図７】
2020163204.tif 000009